(57)【要約】  デジタルオーディオ信号入力（１）と、デジタルオーディオ信号プロセッサ（２、ＤＳＰ）と、デジタルオーディオ信号出力（３）とを有するサウンド再生システムであって、デジタル信号プロセッサ（２、ＤＳＰ）は、ハイパス周波数（ｆ）を有するハイパス（ＨＰ）フィルタ（２１）と、ハイパスフィルタによりフィルタされた信号の増幅器（２２）と、増幅器で増幅された後の信号をフィルタして出力信号を供給する、ローパス周波数（ｆ′）を有するローパス（ＬＰ）フィルタ（２３）とを有し、デジタルプロセッサは、ハイパス周波数またはローパス周波数を確立する確立器（２４、２５）と、ハイパスフィルタのハイパス周波数とローパスフィルタのローパス周波数を互いにマッチさせるマッチ器（２６）とを有する。
2007522706.tif 000002
【特許請求の範囲】
【請求項１】
デジタルオーディオ信号入力と、デジタルオーディオ信号プロセッサと、デジタルオーディオ信号出力とを有するサウンド再生システムであって、
デジタル信号プロセッサは、ハイパス周波数を有するハイパスフィルタと、ハイパスフィルタによりフィルタされた信号の増幅器と、増幅器で増幅された後の信号をフィルタして出力信号を供給する、ローパス周波数を有するローパスフィルタとを有し、
デジタルプロセッサは、ハイパス周波数またはローパス周波数を確立する確立器と、ハイパスフィルタのハイパス周波数とローパスフィルタのローパス周波数を互いにマッチさせるマッチ器とを有することを特徴とするシステム。
【請求項２】
請求項１に記載のサウンド再生システムであって、
該システムは、バックグラウンドノイズレベルを測定するセンサを有し、測定されたノイズレベルを入力とし、ハイパスカットオフ周波数を出力とする要素を有し、ハイパスカットオフ周波数はバックグラウンドノイズレベルが大きくなれば大きくなり、ローパスカットオフ周波数はハイパスカットオフ周波数が高くなれば低くなることを特徴とするシステム。
【請求項３】
請求項２に記載のサウンド再生システムであって、
カットオフ周波数が可変の単一のローパスフィルタを有することを特徴とするシステム。
【請求項４】
請求項２に記載のサウンド再生システムであって、
異なるローパスカットオフ周波数を有する一組のローパスフィルタを有し、マッチ器は、ハイパスカットオフ周波数に応じて、増幅後に信号をローパスフィルタの１つに送ることを特徴とするシステム。
【請求項５】
請求項１または２に記載のサウンド再生システムであって、
確立器は、増幅段の平均増幅率に応じて、ハイパスフィルタのカットオフ周波数を確立するように構成されていることを特徴とするシステム。
【請求項６】
請求項１または２に記載のサウンド再生システムであって、
確立器はローパスフィルタのカットオフ周波数をｆｓ／２に設定するように構成され、ここでｆｓはサンプル周波数であり、マッチ器はハイパスフィルタ周波数ｆをローパスフィルタ周波数ｆ′にマッチさせることを特徴とするシステム。
【請求項７】
請求項６に記載のサウンド再生システムであって、
カットオフ周波数が可変の単一のハイパスフィルタを有することを特徴とするシステム。
【請求項８】
請求項６に記載のサウンド再生システムであって、
異なるハイパスカットオフ周波数を有する一組のハイパスフィルタを有し、マッチ器は、ローパスカットオフ周波数に応じて、増幅前に信号をハイパスフィルタの１つに送ることを特徴とするシステム。
【請求項９】
請求項１に記載のサウンド再生システムであって、
ハイパスカットオフ周波数は３００Ｈｚと２ｋＨｚの間の周波数であることを特徴とするシステム。
【請求項１０】
請求項１に記載のサウンド再生システムであって、
ローパスカットオフ周波数は２ｋＨｚとｆｓ／２より上にあり、ここでｆｓはサンプル周波数であることを特徴とするシステム。
【請求項１１】
デジタルオーディオ信号プロセッサであって、
ハイパス周波数を有するハイパスフィルタと、ハイパスフィルタによりフィルタされた信号の増幅器と、増幅器で増幅された後の信号をフィルタして出力信号を供給する、ローパス周波数を有するローパスフィルタとを有し、
デジタルプロセッサは、ハイパス周波数またはローパス周波数を確立する確立器と、ハイパスフィルタのハイパス周波数とローパスフィルタのローパス周波数を互いにマッチさせるマッチ器とを有することを特徴とするプロセッサ。
【請求項１２】
ハイパスカットオフ周波数ｆより低い周波数成分は増幅前に除去され、増幅後にローパス周波数より高い周波数が除去される、デジタルサウンド信号の処理方法であって、
ハイパスカットオフ周波数とローパスカットオフ周波数の値がマッチングされることを特徴とする方法。
【請求項１３】
請求項１２に記載の方法であって、
ハイパスカットオフ周波数は３００Ｈｚと２ｋＨｚの間にあることを特徴とする方法。
【請求項１４】
請求項１２に記載の方法であって、
ノイズレベルを測定し、測定したノイズレベルに応じてハイパスカットオフ周波数ｆを決定することを特徴とする方法。
【請求項１５】
コンピュータで実行された時、請求項１１ないし１４いずれか一項に記載の方法を実行するプログラムコード手段を有するコンピュータプログラム。
【請求項１６】
請求項１１ないし１４いずれか一項に記載の方法を実行する、コンピュータ読み取り可能媒体に記憶されたプログラムコード手段を有するコンピュータプログラム。
【発明の詳細な説明】
【発明の詳細な説明】
【０００１】
本発明は、サウンド再生の分野に関し、特に、デジタルオーディオ信号処理の分野に関する。
【０００２】
本発明は、デジタルオーディオ信号入力、デジタルオーディオ信号プロセッサ、及びデジタルオーディオ信号出力を有するサウンド再生システムに関する。
【０００３】
また、本発明は、入来オーディオ信号を処理してオーディオ出力信号を出力するオーディオ信号プロセッサに関する。特に、本発明はデジタル信号プロセッサ（ＤＳＰ）回路またはプログラムに関する。
【０００４】
また、本発明は、デジタルオーディオ信号の処理方法にも関する。
【０００５】
ラウドスピーカ電話システム等のサウンド再生システムは、ラウドスピーカと呼ばれることが多い出力トランスデューサとオーディオ信号入力とを含む。ラウドスピーカは、オーディオ入力信号に応答して、所望の音圧波を表すオーディオ入力信号を発生する。
【０００６】
リスナーが知覚するサウンドの明瞭性は、特にノイズの多い環境においては非常に重要である。明瞭性を向上する最も簡単な方法は、平均ＳＰＬ（音圧レベル）を上げること、すなわち、ボリュームを高くすることである。しかし、必ずしもボリュームを上げたからといって、常にサウンドがより明瞭になるわけではない。また、出力が大きすぎると、ラウドスピーカへの負荷が過大になり、明瞭性がさらに悪くなってしまう。
【０００７】
サウンドの明瞭性を高める試みが多数なされてきた。
【０００８】
米国特許出願第２００２／００１５５０３号では、周波数帯域ごとに個別にゲインファクタを制限することによる明瞭性の向上が提案されている。
【０００９】
米国特許第６，０１１，８５３号は、ノイズの周波数スペクトルを測定し、スピーチ信号を特定周波数でノイズの効果と等しくするシステムが記載されている。
【００１０】
しかし、既存のシステム及び方法は、複雑な計算とそのための複雑な回路（ハードウェア）を必要とするか、プログラム（ソフトウェア）を使用する場合には、複雑なプログラムを必要とする非常に複雑なものであるか、または、提供する利点が限定されたものである。
【００１１】
上記の参照文献にもかかわらず、本技術分野においては、明瞭性を向上できるようにシステムと方法を改良する必要がまだある。
【００１２】
本発明の目的の１つは、明瞭性を向上したサウンド再生システム及び方法を提供することである。
【００１３】
このため、本発明によるサウンド再生システムは、デジタル信号プロセッサを有し、デジタル信号プロセッサは、ハイパス周波数を有するハイパスフィルタと、ハイパスフィルタによりフィルタされた信号の増幅器と、増幅器で増幅された後の信号をフィルタして出力信号を供給する、ローパス周波数を有するローパスフィルタとを有し、デジタルプロセッサは、ハイパス周波数またはローパス周波数を確立する確立器と、ハイパスフィルタのハイパス周波数とローパスフィルタのローパス周波数を互いにマッチさせるマッチ器とを有する。
【００１４】
本発明によるシステムは、以下の洞察に基づく：
１．  入来信号は（増幅器により）増幅され、ラウドネスが大きくなる。しかし、
２．  入来信号が大きくなると、最大デジタル信号より高い信号が生じ、そのような場合、その信号はデジタル的にクリップされることが多く、信号が歪んでしまう。
３．  増幅前に信号から低周波を除去すると、残りの信号は平均的により高いゲインファクタで増幅することができる。これは、増幅の前に置かれたＨＰフィルタにより実行される。低周波数は、明瞭度に関する限り、重要性は比較的高くない。低周波数は信号の振幅が大きく、低周波数を除去すると信号の非常に振幅が低くなり、増幅の余地が生まれる。すなわち、残りの信号をより大きく増幅できる。特にスピーチの振幅の大部分は、低周波数を含んでおり、低周波数を減衰することにより、余地がかなり大きくなる（すなわち、クリッピングレベルにならずに増幅できる）。
４．  単に低周波数を削除して、出力を大きくしても明瞭度は高くなるが、常に明瞭度が顕著に上がるわけではない。ハイパスフィルタの使用により、信号は高周波数トーンを比較的高い割合で含んでおり、知覚的に深い鋭い信号となり、オーディオ信号が変色し、明瞭度が落ちている。さらにまた、増幅により上音が生じているかも知れない。増幅後にローパス（ＬＰ）フィルタがバランスを回復し、また、増幅器により生じた上音を除去または少なくとも低減し、より自然なサウンドにし、信号の変色を少なくとも部分的に減らし、明瞭度を高くする。
５．  本発明によるシステムでは、カットオフ周波数をマッチングする。すなわち、確立されたＨＰカットオフ周波数とＬＰカットオフ周波数の間には関係がある。ここで、ローパス周波数及び／またはハイパス周波数の値は、反対方向でマッチングされる。つまり、ＨＰカットオフ周波数が下げられ、ＬＰカットオフ周波数が上げられる。及び、その逆である。言い換えると、ＨＰフィルタのカットオフ動作と、ＬＰフィルタのカットオフ動作はマッチングされ、一方の動作が大きいときは他方の動作も大きい。一方の動作が小さければ、他方も小さい。ＨＰ及びＬＰフィルタは、このように、スピーチ及びサウンド処理において結合した要素として使用され、無関係のパラメータを有する要素ではない。ハイパスフィルタのカットオフ動作は、オーディオ信号を変色させ、ＬＰフィルタのカットオフ動作は、この効果に対処するようにマッチされる。本システムは、ＨＰカットオフ周波数またはＬＰカットオフ周波数のいずれかを確立し、ＬＰまたはＨＰカットオフ周波数を確立された周波数にマッチングさせる手段を有する。
【００１５】
幾つかの好ましい実施形態がある：
実施形態において、本システムは、バックグラウンドノイズレベルを測定するセンサを有し、測定されたノイズレベルを入力とし、ハイパスカットオフ周波数を出力とする要素を有し、ハイパスカットオフ周波数はバックグラウンドノイズレベルが大きくなれば大きくなり、ローパスカットオフ周波数はハイパスカットオフ周波数が高くなれば低くなる。ＬＰカットオフ周波数のこの低下は、単一のＬＰフィルタのカットオフ周波数をＨＰカットオフ周波数の関数として変化（低下）させることにより実行される。または、代替的に、システムが一組の異なるＬＰフィルタを有し、ＨＰカットオフ周波数に応じて、信号を、増幅後にそのＬＰフィルタの１つに送る。より複雑なＬＰフィルタを用いて、２つ以上の変数を有する、すなわち、ＬＰカットオフ周波数だけでなく、より多くのパラメータを変更する場合に、後者の実施形態は特に有用である。この選択は、信号が、ＨＰカットオフ周波数に応じて異なるＬＰフィルタと等価な異なるデジタル計算を施されるルックアップテーブルで実行してもよい。これは２つの段階で実行できる。第１の段階では、ノイズレベルを判断し、これによりＨＰカットオフ周波数の変更をトリガーし、次にＨＰカットオフ周波数からＬＰカットオフ周波数を選択する。
【００１６】
好ましくは、本システム及び／またはプログラムは、増幅段の平均増幅率に応じて、ハイパスフィルタのカットオフ周波数を確立する手段を有する。平均増幅率は、信号の平均ゲインに対する尺度であり、発せられたサウンド信号のラウドネスレベルの尺度でもある。有利にも、放射信号の平均ラウドネスレベルが大きくなるとともにハイパスフィルタのハイパスカットオフ周波数が高くなり、また、ローパスフィルタのカットオフ周波数がマッチされている、すなわち、ＨＰカットオフ周波数が変化するとともにステップ状に減少する。増幅レベルが非常に高いと（システムが、音が大きくノイズが多い環境で使用されている場合におこる）、比較的大きいアンバランスをサウンドに生じさせるＨＰフィルタのフィルタリング動作の必要性がおおきくなり、また、増幅レベルが大きいと、信号の歪みが比較的大きくなる。増幅後の信号の望ましくない不自然な上音は大きなエネルギーを有している。これによりサウンドが粗くなる。発明者が気づいたところによると、サウンドの粗さにより、時々、あるいは頻繁にリスナーは特に携帯電話においてラウドスピーカを耳から遠ざける。ラウドスピーカを耳から少し遠ざけることとは別に、信号対ノイズ比が大幅に低下する。その理由は、信号が減り、ノイズが増えるからであり、サウンドが粗く聞こえるという事実だけでも、メッセージの明瞭度が下がったことを意味する。声のメッセージの場合、声の粗さは、話者がリスナーに伝えたいメッセージの不可欠な一部分であることが多く、メッセージの言葉よりも重要であることもある。このように、言葉が理解できるかどうかだけよりも広い観点から見た場合、明瞭な「自然な」声が転送されることは、メッセージの明瞭度にとって重要である。増幅レベルが低い場合、「粗いサウンド」効果、すなわち、信号の変色は非常に聞き取りづらい。まとめると、増幅レベルが高いと、信号に比較的大きなアンバランスがあり（高周波により多くのエネルギーがあり）、また、高周波における増幅の比較的大きな部分は、増幅による人工的アーティファクトによるものである。高周波を除去することにより（全部または部分的に）、アンバランスとアーティファクトがなくなり、より自然なサウンドになる。一方、増幅レベルが比較的低い場合、高周波の信号振幅のほとんどが自然に生じたものであり、人工的アーティファクトによる部分は少ない。そこで、カットオフ周波数を比較的高い周波数に設定することが好ましい。増幅率に応じてハイパスフィルタのカットオフ周波数を確立し、同時にローパスフィルタのカットオフ周波数をマッチングすることにより、サウンド再生の改善が可能である。ある程度、この実施形態は、ノイズセンサを有する最初に述べた実施形態と同様の効果を奏することを意図したものであるが、マッチングされたＨＰ及びＬＰフィルタのカットオフ動作をカップリングするのではなく、マッチングされたＬＰとＨＰフィルタのカットオフ動作は増幅レベルにカップリングされる。通常、バックグラウンドノイズレベルが高い場合に、より高い増幅レベルが使用され（ユーザはノイズの多い環境においてボリュームを上げる）、そのため、或る意味でユーザがノイズセンサの役割を果たす。システムの一部としてノイズセンサを使用することにより、技術的な観点からは好ましいが、システムのコストと複雑さが大きくなる。
【００１７】
実施形態において、本システムは、入来信号のサンプル周波数ｆｓを測定／確立し、ＬＰフィルタの最大カットオフ周波数をｆｓ／２に設定する手段を有する。ｆｓ／２より大きい信号は元の信号の成分ではなく、上音（overtone）によるものである。このようにサンプル周波数ｆｓは実際にＬＰフィルタの最大カットオフ周波数を決定する。それゆえ、これらの実施形態において、カットオフ周波数はｆｓ／２の上限を有する。サンプル周波数ｆｓは入来信号の帯域により決定される。例えば、インターネットオーディオビデオの場合、帯域はむしろ狭いことが多い。また、オーディオシステム自体のパワーが低い場合、非常に大きな帯域幅を有しても使い道がない。そこで、好ましい実施形態において、システムは信号のサンプル周波数を確立する手段を有する。サンプル周波数は、入来信号から確立されてもよいし、オーディオシステムのパワー制限の関数として確立してもよい（例えば、システムが異なる物理的増幅器につながっている場合、パワー制限が適用される）。ｆｓの値が高いとき、例えば４４ｋＨｚの場合、これはローパスフィルタのカットオフ動作には大きな影響はもたないが、ｆｓの値が低い時（例えば、８ｋＨｚ、１１．０２５ｋＨｚ、１６ｋＨｚ、２２．０５ｋＨｚの場合、ｆｓ／２はそれぞれ４ｋＨｚ、５．５ｋＨｚ、８ｋＨｚ、１１ｋＨｚ）にはこの限りではない。しかし、この制限はサウンドに「色づけ」してしまう。その理由は、ｆｓ／２より高い周波数はなく、実際に受信された元の信号はすでに「変色」されているからである。好ましい実施形態におけるシステムは、変色に対抗するために確立されたサンプル周波数ｆｓに応じてＨＰカットオフ周波数を決定する手段を有する。再度、これはいろいろややり方がある。ＨＰカットオフ周波数のこの増加は、単一のＨＰフィルタのカットオフ周波数をＬＰカットオフ周波数の関数として変化（増加）させることにより実行される。または、代替的に、システムが一組の異なるＨＰフィルタを有し、カットオフ周波数に応じて、信号を、増幅後にそのＨＰフィルタの１つに送る。より複雑なフィルタを用いて、２つ以上の変数を有する、すなわち、カットオフ周波数だけでなく、より多くのパラメータを変更する場合に、後者の実施形態は特に有用である。この選択は、信号が、ＬＰカットオフ周波数に応じて異なるＨＰフィルタと等価な異なるデジタル計算を施されるルックアップテーブルで実行してもよい。
【００１８】
最も好ましい実施形態において、システムは、好ましい実施形態の両方を結合する。すなわち、一方でサンプル周波数ｆｓを確立しｆｓ値に基づいてＨＰカットオフ周波数を決定し、他方で、ノイズレベルを測定し、ＨＰカットオフフィルタ値を決定し、次にＬＰカットオフ周波数を決定する。
【００１９】
好ましくは、ハイパス周波数は３００Ｈｚと２ｋＨｚの間にあり、ローパス周波数は２ｋＨｚとｆｓ／２の間にある。ここでｆｓはサンプル周波数である。
【００２０】
好ましくは、増幅器は閾値より小さい信号強度を有する信号を増幅しないように構成される。
【００２１】
閾値（一定の最小振幅）より低い信号はおそらくノイズである。このような信号を増幅しないことにより、明瞭度が改善される。ノイズが減るからである。さらに、静寂とスピーチの間の違いがよりよく区別でき、明瞭度が高くなる。ユーザが閾値を設定する必要がある場合（例えば、電話を数回かけるとき）、閾値は最初または実行時に設定される。信号ノイズはＧＳＭプロバイダまたは相手側ユーザが使用しているＧＳＭ装置に依存するからである。
【００２２】
ハイパスフィルタは１次または２次のフィルタである、すなわち、比較的なだらかな傾きのフィルタである。入来信号の低周波数成分のエネルギーの大部分を除去して増幅余地を残すことは有利である。しかし、傾きが比較的急なフィルタ（ステップフィルタはこのようなフィルタの最も極端な例である）は、低周波成分を多く除去し過ぎるので、声の調子が不自然になる。好ましくは、本システムは、ユーザが次数及び／またはカットオフ周波数を変更できる手段を有する。２次ハイパスフィルタを使用することにより、スピーチの明瞭度はよくなり、信号のラウドネスもよくなる。一方、１次ハイパスフィルタを使用すると、元の信号をより自然なサウンドのままにできる。
【００２３】
好ましい実施形態において、本システムは、ハイパス（ＨＰ）フィルタを有し、その次にＡＧＣ、その次にリミッタ／クリッパ、その次にローパス（ＬＰ）フィルタを有する。この実施形態は、信号のラウドネスが最も重要である状況で好ましい。リミッタがオーディオ信号中のピークをスキャンし、クリッピング量を限定するために減衰が必要である場合、そのピークの回りのオーディオ部分を減衰させる。一方、非常に大きな信号はクリッピングさせる。
【００２４】
別の好ましい実施形態において、システムは、自動音量レベラを有し、その前または好ましくはその後ろにハイパス（ＨＰ）フィルタを有し、レベルをそろえた信号を供給し、それに続いてゲイン、クリッパ、そしてローパス（ＬＰ）フィルタを有する。この実施形態は、計算負荷を少なくしたいときに好ましい。
【００２５】
（ハード）クリッピングは、閾値信号強度を超える信号をすべて与えられた閾値信号強度まで減らす単純な動作である。すなわち最大信号強度が設定される。このような実施形態の利点は、簡単なシステムを使用できることであり、不利な点は、信号の歪みが大きくなることである。閾値信号を越える信号の詳細は全て失われるからである。
【００２６】
全ての実施形態において、ＨＰカットオフ周波数とＬＰカットオフ周波数はカップリングされる。これが本発明のコアであり、ＨＰフィルタとＬＰフィルタの動作がマッチングされ、一方のフィルタの適用による変色が、他方のフィルタの機能により少なくとも部分的に補償される。しばしば、「リーディングフィルタ」はＨＰフィルタである。すなわち、ＨＰフィルタのカットオフ周波数がパラメータに基づいて確立され、ＬＰフィルタのカットオフ周波数はそれに従う。入来信号のサンプル周波数が小さい実施形態の場合、「リーディングフィルタ」はＬＰフィルタであってもよい。
【００２７】
好ましい実施形態において、本システムはバックグラウンドノイズレベルを測定する、マイクロホン等の測定システムを有する。
【００２８】
好ましくは、１つ以上のパラメータについて、測定されたノイズレベルへの依存性は非線形である。
【００２９】
本発明のコンセプトにおいて、「クリッパ」、「圧縮器」、「増幅器」、「フィルタ」、「コンバータ」、「比較器」等は、広く理解すべきであり、例えば、いかなるハードウェア（クリッパ、圧縮機、増幅器等）、説明したクリッピング、圧縮、増幅等の機能を実行するように設計されたいかなる回路や副回路、本発明によるクリッピング、圧縮、フィルタリング等の動作を実行するように設計またはプログラムされたソフトウェア（コンピュータプログラム、サブプログラム、１組のコンピュータプログラム、またはプログラムコード）、そのように動作するハードウェア及びソフトウェアのいかなる組み合わせも含み、以下に与える実施形態例に限定されることはない。１つのプログラムが幾つかの機能を併せ持ってもよい。
【００３０】
本発明は、コンピュータで実行されたとき、本発明による方法を実行するプログラムコード手段を有するコンピュータプログラムにも化体することができる。また、コンピュータで実行されたとき、本発明による方法を実行する、コンピュータ読み取り可能媒体に格納されたプログラムコード手段を有するコンピュータプログラム製品にも化体することができる。また、本発明の特徴的な動作を実行する、本発明によるシステムで使用されるプログラムコード手段を有するプログラム製品にも化体することができる。
【００３１】
本発明の上記その他の態様を、添付した図面を参照して、例によりより詳しく説明する。
【００３２】
以下、本発明の好ましい実施形態を示した、添付した図面を参照して、本発明をより詳しく説明する。しかし、本発明は、多数の異なる形式で実施でき、ここに開示した実施形態だけに限定されると解釈してはならない。図面にわたって同じ数字は同じ要素を示す。
【００３３】
図１は、サウンド再生システムを示す概略図である。このシステムは、例えば、自動車で使用されるハンヅフリーのラウドスピーカセルラー無線電話である。ハンドフリーの携帯電話として実施したとき、遠端（far  end）、すなわち遠隔者（distant  party）から受け取られるスピーチ信号は、セルラー基地局（図示せず）から送信され、携帯電話のトランシーバ（図示せず）で受信され、入来する遠端信号入力１に入力波形Ｗとして送られる。この例において、システム（この場合、電話システム）と遠端との間の伝送はデジタル形式であると仮定する。元の信号がアナログ形式の場合、システムはアナログ・デジタルコンバータを有し、デジタル遠端信号を生成して入力１に送る。
【００３４】
図１に示したように、波形はＤＳＰ（デジタルサウンドプロセッサ）２の入力端子１またはＤＳＰ２に接続された入力端子にデジタルフォーマットで入力され。ＤＳＰ２は、デジタル出力３に接続されているか、デジタル出力３を有している。デジタル信号は、デジタル・アナログコンバータ４に入力され、アナログフォーマットに変換され、アンプ５で増幅され、ラウドスピーカ６により使用される。遠隔者のスピーチを表す音圧波Ｗ１がラウドスピーカ５により発生される。したがって、無線電話ユーザには、遠隔者のスピーチを表す音圧波形が聞こえる。
【００３５】
しかし、リスナーにはラウドスピーカにより発生されたサウンドが聴こえるだけではなく、他のサウンドも聞こえる。これにより、ラウドスピーカにより発生されたサウンドが理解しづらくなる、すなわち、明瞭性が低下する。
【００３６】
ボリュームを上げることにより、最初に明らかに明瞭性を上げることができる。しかし、ラウドスピーカの最大出力レベルには限界があり、単にボリュームを上げるだけではノイズが大きくなり、必ずしも信号の明瞭性が上がらないことが多い。
【００３７】
明瞭性を高めるため、本発明によるシステムと方法においては、幾つかの協働的手段が用いられる。
【００３８】
図２は、本発明によるシステムで使用するＤＳＰ（デジタルサウンドプロセッサ）の概略を示す。このＤＳＰは、ハイパス（ＨＰ）フィルタ２１を有し、そのカットオフ周波数は、好ましくは例えば３００Ｈｚと２ｋＨｚの間、または５００Ｈｚと１５００Ｈｚの間であり、より好ましくは８００Ｈｚと１２００Ｈｚの間である。ハイパスフィルタは、カットオフ周波数ｆより低い周波数成分を除去または減衰する。
【００３９】
ＨＰフィルタにより信号エネルギーの大部分は除去される。これにより、（デジタルクリッピング、すなわち最大値よりも値が高くなる問題にぶつかる前に）残りの信号をアンプ２２でより大きく増幅することが可能となる。しかし、ＨＰフィルタは、低周波に対して高周波を増やしてサウンドを鋭くする。増幅後にローパスフィルタ（ＬＰ）２３を適用して、少なくとも部分的にサウンドの「自然さ」を回復する。本発明によるシステムでは、ＨＰフィルタ及びＬＰフィルタのカットオフ周波数ｆとｆ′をマッチングする。これはＨＰフィルタとＬＰフィルタ感の矢印で示した。本システムは、周波数ｆとｆ′のいずれか一方を確立（establish）し、これらの周波数の一方が確立している時には、他方を確立する手段を有する。
【００４０】
本発明によるシステムにおいて、カットオフ周波数とそれによるＨＰフィルタ及びＬＰフィルタの機能はマッチングされる。すなわち、相互相関が取られる。このために説明したように、本システムは、ＨＰフィルタのカットオフ周波数ｆまたはＬＰフィルタのカットオフ周波数ｆ′を確立する確立器（establisher）２４、２５を有し、ＬＰフィルタまたはＨＰフィルタのカットオフ周波数を確立されたＨＰフィルタまたはＬＰフィルタのカットオフ周波数とマッチングさせるためのマッチ器２６とを有する。全ての実施形態において、ＨＰカットオフ周波数とＬＰカットオフ周波数はカップリングされる。これが本発明のコアであり、ＨＰフィルタとＬＰフィルタの動作がマッチングされ、一方のフィルタの適用による変色が、他方のフィルタの機能により少なくとも部分的に補償される。「マッチング」とは、ｆとｆ′の間に関係があること、すなわち、ｆ＝Ｆ（ｆ）またはｆ′＝Ｆ′（ｆ）であることである。しばしば、「リーディングフィルタ」はＨＰフィルタである。すなわち、ＨＰフィルタのカットオフ周波数が測定または決定されたパラメータに基づいて確立され、ＬＰフィルタのカットオフ周波数はそれに従う。入来信号のサンプル周波数が小さい実施形態の場合、「リーディングフィルタ」はＬＰフィルタであってもよい。
【００４１】
図３は、ハイパスフィルタを示す概略図であり、そのハイパスフィルタ周波数はｆである。このフィルタ周波数ｆが、環境ノイズレベル、ラインノイズレベル、ユーザが設定したパラメータ、または増幅等のパラメータＰによる影響を受ける。確立器はこれらのパラメータに応じてＨＰカットオフ周波数を確立する。この影響は周波数ｆに向かう、Ｐとｆの間の横向き矢印により示される。本システムは、ローパスフィルタ２３のローパスフィルタ周波数ｆ′をＨＰフィルタ周波数ｆにマッチさせるマッチ器を有する。本発明における「マッチング」は、ｆをｆ′と等しくする、またはその逆を意味すると解釈してはならない。そうではなくて、ｆとｆ′の値の間に関係がある、すなわち、ｆ′＝Ｆ（ｆ）であることを意味する。ここでＦは関数である。この関係は固定された関係であってもよい。すなわち、関数Ｆは固定された関数であってもよい。関数はさらに別のパラメータによって変わってもよい。これは、図３において、文字Ｐ′と、この文字と関数Ｆの間の矢印により模式的に示されている。パラメータは、例えば、環境ノイズレベルＮ、ラインノイズレベル、またはＨＰフィルタとＬＰフィルタの間のアンプの増幅度（ゲイン）である。このような場合、ｆとｆ′の関係は、ｆ′＝Ｆ（ｆ，Ｐ′）と表される。
【００４２】
図４は、図３に示したスキーム（scheme）の変形例である。この実施形態では、幾つかのＬＰフィルタが使用され、確立されたＨＰカットオフ周波数ｆと、場合によっては追加的パラメータＰ′とに応じて、アンプ２２による増幅後にマッチ器を用いて信号がＬＰフィルタの１つに送られる。各フィルタのカットオフ周波数はｆ′である。これは、図４において、ＨＰフィルタと１つのＬＰフィルタとを結ぶ矢印、及びカットオフ周波数がＬＰフィルタごとに異なることにより模式的に示されている。
【００４３】
このような実施形態は、単一のＬＰフィルタを使用する実施形態より複雑であるが、後者の実施形態は、２つ以上の変数を有するより複雑なＬＰフィルタを使用する場合、すなわち、ＬＰカットオフ周波数だけでなくより多くのパラメータ（例えばフィルタの次数）が変化する場合に有用である。この選択は、信号が、確立されたＨＰカットオフ周波数に応じて異なるＬＰフィルタと等価な異なるデジタル計算を施されるルックアップテーブルで実行してもよい。これは２つの段階で実行できる。第１の段階では、ノイズレベルを判断し、これによりＨＰカットオフ周波数の変更をトリガーし、次にＨＰカットオフ周波数からＬＰカットオフ周波数を選択する。選択は追加的パラメータに依存してもよい。
【００４４】
図５は、ＬＰフィルタ周波数がサンプル周波数ｆｓの関数として確立され、ＨＰフィルタカットオフは確立されたＬＰフィルタカットオフ周波数ｆの関数であり、すなわちｆ′＝Ｆ（ｆ）であり、マッチ器２６が周波数ｆ′をマッチングする、すなわち、ｆを確立された周波数ｆ′に基づいて計算する実施形態を示す概略図である。一部の実施形態において、関数ＦはパラメータＰ′（例えばノイズレベル）に依存する。
【００４５】
図６は、図５に示した実施形態の変形例である。この実施形態では、幾つかのＨＰフィルタが使用され、確立されたＬＰカットオフ周波数ｆと、場合によっては追加的パラメータＰ′とに応じて、アンプ２２による増幅後に信号がＨＰフィルタの１つに送られる。各フィルタのカットオフ周波数はｆである。これは、図６において、ＬＰフィルタと１つのＨＰフィルタとを結ぶ矢印、及びカットオフ周波数がＨＰフィルタごとに異なることにより模式的に示されている。
【００４６】
しかし、このような実施形態は、単一のＨＰフィルタを用いる実施形態よりも複雑である。より複雑なＨＰフィルタを用いて、２つ以上の変数を有する、すなわち、ＨＰカットオフ周波数だけでなく、例えばフィルタの次数等のより多くのパラメータを変更する場合に、後者の実施形態は特に有用である。この選択は、信号が、確立されたＬＰカットオフ周波数に応じて異なるＨＰフィルタと等価な異なるデジタル計算を施されるルックアップテーブルで実行してもよい。これは２つの段階で実行できる。第１の段階では、サンプル周波数ｆｓを判断し、これによりＬＰカットオフ周波数の変更をトリガーし、次にＬＰカットオフ周波数からＨＰカットオフ周波数を選択する。選択は追加的パラメータに依存してもよい。
【００４７】
図７は、ＬＰカットオフ周波数ｆ′とＨＰカットオフ周波数ｆの間の関係を示すグラフである。ＨＰ（ｆ）とＬＰ（ｆ）カットオフ周波数グラフの間に特定のパラメータ値（例えばノイズ）の垂直線を引き、対応する曲線値（両向き矢印で示した）を読むことにより関係が分かる。模式的に示したように、グラフは連続的であってもよく（ｆ′１（Ｐ）ＬＰ及びｆ１（Ｐ）ＨＰ）、または、いくつかの異なるＬＰまたはＨＰフィルタを使用した場合のように、ステップ状であってもよい（ｆ′２（Ｐ）ＬＰ及びｆ２（Ｐ）ＨＰ）。曲線自体はパラメータＰ及び／またはＰ′（例えば測定ノイズレベルＮ、ラインノイズレベル、選択された増幅レベル（ユーザに設定された場合）、同じ周波数ｆｓに依存する。
【００４８】
増幅はアンプ２２（図２参照）によりなされる。
【００４９】
アンプ２２は圧縮アンプであることが好ましい。圧縮アンプは、信号を増幅するが平均サウンドレベルを平均化するアンプである。すなわち、振幅が小さいサウンドはサウンドレベルが高いサウンドより大きく増幅され、信号の振幅範囲を狭くするものである。これには幾つかのやり方がある。例えば、クリッパ／リミッタ構成、クリッパ／圧縮器、またはＡＶＬ（自動電圧レベラ）及び後続のゲイン及びクリッパ等である。いくつかの異なる方法を使用できるが、その中には、増幅と圧縮を実行するためのルックアップテーブルの使用も含む。振幅範囲、特にその範囲の上限は、製造者により設定されてもよいし、例えばラウドネス設定器（ユーザがラウドネスを設定するノブ）によりユーザが設定してもよい。単純な信号の線形増幅（すなわち、すべてのサウンドレベルで増幅ファクタが一定）と比較して、特に、環境ノイズが高くて、静かなボイスパートがバックグラウンドノイズで覆われてしまう場合に、圧縮増幅によりサウンドの明瞭度が高くなる。言葉をより容易に区別できるようになり、サウンドの明瞭度が高くなる。
【００５０】
しかし、サウンドの非線形増幅により上音（元の周波数の２倍、３倍等の周波数の高周波成分）が入り、サウンドが粗くなり、サウンドが歪む。リスナーはこの歪みを喜ばず、実際にボーカルメッセージの広い意味での明瞭度を低下させる。多くの場合、話された言葉の粗さはボーカルメッセージの重要一面だからである。クリッピングは上音を生じさせて信号をより一層歪ませるが、この効果は、クリッピングをしなくても生じる。
【００５１】
広義の明瞭度は、このように言葉にだけ関係するものではなく、話者がリスナーに伝えようとしているメッセージにも関係する。サウンドの粗さ、特に平均増幅率が高い場合、皆が怒っているように聞こえ、話者が伝達しようとしている感情的な細やかさが大きく失われてしまう。
【００５２】
図２に示した本発明のシステムにあるように、圧縮アンプの後にローパスフィルタを適用することにより、声の粗さ感を減らし、話された言葉の元の感情的内容を少なくともある程度は回復し、すなわち、より自然なサウンドにすることができる。
【００５３】
なお、ほとんどの西洋言語においては、言葉のピッチは言葉の感情的インパクトに影響し、言葉の意味それ自体には影響しない。しかし、言葉のピッチがより大きな役割を果たし、言葉のピッチによりまったく同一の言葉がまったく異なる意味となるような言語もある。そのような言語を（除外できずに）使用する場合、ローパスフィルタの使用はより有利となる。本発明は、自動音声認識システムと合わせて、またはその中で使用する場合、特に有利であり、話された言葉のピッチがその言葉の意味に影響する言語では特に有利である。話された言葉すなわち声に関して上で説明したことは、サウンド再生システムを音楽の再生に使用する場合にも同様に適用できる。また、音楽の場合、音楽の聞こえ方はもちろん人が音を聞き取れるかどうかに依存するが、サウンドの粗さも非常に重要である。このように、本発明は、電話システムのように声のメッセージがリレーされるシステムにおいて非常に重要であるが、このようなシステムに制限されずに、音楽を再生するシステムも同様に本発明の利益を享受するであろう。
【００５４】
レベリングまたは圧縮動作は、入来信号のＨＰフィルタの前に実行されるか、またはＨＰフィルタリングされてから実行されてもよい。増幅自体は（すなわちゲイン）はＨＰフィルタリングの後に行われる。クリッピングは、ゲインの後、またはゲインと共に行われる。クリッパを使用する場合、ローパスフィルタはそのクリッパの後に置く。
【００５５】
上で説明したように、ＨＰカットオフ周波数とＬＰカットオフ周波数の間の関係は、固定されているか、幾つかのパラメータにより決まる。
【００５６】
増幅段及び／またはクリッピング段は、信号の変色にもつながり、本システムのより複雑な実施形態においては、ＨＰ周波数とＬＰ周波数をマッチングするマッチ器は、ＨＰフィルタとＬＰフィルタ間の要素（例えば、アンプ及び／またはクリッパ）の少なくとも１つのパラメータの入力を有し、ＨＰカットオフ周波数とＬＰカットオフ周波数の間の関係は前記パラメータに依存する。すなわち、ｆ′＝Ｆ（ｆ，Ｐ）またはｆ＝Ｆ′（ｆ′，Ｐ′）であり、ここでＰとＰ′は中間要素等のパラメータである。例えば、クリッパ及び／またはレベリングアンプにより生じる非線形性は、より高い上音を生じ、そのような要素の存在または有効性に依存するので、ＬＰフィルタのＬＰフィルタカットオフ機能は大きくなる。
【００５７】
図８は、本発明によるシステムで使用可能なハイパスフィルタの２つの例を示す図である。
【００５８】
図の左側は１次フィルタであり、右側は２次フィルタである。図示したハイパスフィルタは、約１ｋＨｚのカットオフ周波数ｆを有する。（１オクターブあたり５−１５ｄＢの比較的おだやかな傾きを有する）１次または２次のハイパスフィルタが好ましい。低周波数成分を取り除き過ぎると、非常に不自然に聞こえる声（または不自然な音の音楽）となる。それゆえ、ハイパスフィルタの次数は２に限定されていることが好ましい。こうすることにより、必要な計算パワーも減らすことができる。ユーザがハイパスフィルタを１次と２次の間で変更できるか、システムが入来信号に応じて自動的に切り換えるメカニズムを有することが好ましい。２次のＨＰフィルタを使用すると、（狭義の、すなわち言葉のみの）スピーチの明瞭度及び／または信号のラウドネスが高くなり、１次のＨＰフィルタは元の信号の自然なサウンドをよりよく保存する。
【００５９】
ＨＰフィルタは、例えば、以下のフォーマットにより係数を表１に載せた４次フィルタにより構成されていてもよい。
【００６０】
【数１】
2007522706.tif 000003
表１−図３に示したＨＰフィルタのフィルタ係数
【００６１】
【表１】
2007522706.tif 000004
低周波数は声の特定のサウンドに主に貢献し、スピーチの明瞭度にはあまり貢献しない。この特性は、本発明の一態様を形成する。
【００６２】
低周波数を減衰することにより、信号振幅は大幅に低下し、スピーチの明瞭度に貢献する比較的より多くの周波数を含む残余信号を増幅する余地ができる。
【００６３】
スピーチ信号を後で増幅する場合、それを圧縮及びクリッピングする場合であっても、スピーチの明瞭度はＨＰフィルタを使用しない場合よりよくなる。その理由は：
−信号がスピーチの明瞭度に貢献するより多くの周波数を含んでおり、
−低周波数はあまり強くクリッピングされず、その結果スピーチの明瞭度を損なう（クリッピングによる）高調波が少ない。
【００６４】
しかし、低周波数を取り除き過ぎると、非常に不自然な声になってしまう。それゆえ、ＨＰフィルタは、例えばバターワース（１次ＩＩＲ）フィルタ等の１次だけであることが好ましい。これにより、計算パワーが少なくて済むという利点がある。
【００６５】
図９は、本発明の一実施形態によるシステムの詳細を示す図である。
【００６６】
ＤＳＰは、ＨＰフィルタ（例えば、図８に示したフィルタ。この例では、例えば、カットオフ周波数が例えば５０Ｈｚないし２ｋＨｚであるバターワース１次または２次フィルタ）を有し、その後にＡＧＣ、その後にリミッタ／クリッパ、その後にカットオフ周波数が２ｋＨｚとｆｓ／２の間にあるローパスフィルタが続く。
【００６７】
この例では、全てのオーディオストリームはモノラルである。サンプルレート周波数は、例えば、次の１つである：８ｋＨｚ、１１．０２５ｋＨｚ、１６ｋＨｚ、２２．０５ｋＨｚ、３２ｋＨｚ、４４．１ｋＨｚ、または４８ｋＨｚ。
【００６８】
入来信号のサンプル周波数が例えば８ｋＨｚと非常に低い場合、ＬＰフィルタのカットオフ周波数はｆｓ／２、すなわち４ｋＨｚに設定され、ＨＰカットオフ周波数は例えば４００Ｈｚに設定される。サンプル周波数が１６ｋＨｚの場合、ＨＰカットオフ周波数は２００Ｈｚに設定される。以下同様である。そして、サンプル周波数ｆｓがＬＰカットオフ周波数を確立し、ＨＰカットオフ周波数がＬＰカットオフ周波数にマッチングされる。
【００６９】
実施形態では、ＡＧＣ（自動利得制御）はブロックベースで機能する、すなわち、ゲインファクタはブロックごとにのみ変化する。このように、計算パワーは最小に抑えられる。
【００７０】
ゲインは次のように計算される：まず、入力信号の移動ＲＭＳ（２乗平均平方根）値を計算する。このＲＭＳ値は、信号波形の最近の「履歴」に基づく平準化された平均である。次に、到来する信号ピークを予測するために、ルックアヘッド時間を用いてピーク値を計算する。
【００７１】
ＲＭＳ値とピーク値を用いてクレストファクタを計算する。いわゆる「デピーク」ファクタを用いて、アルゴリズムがピーク状の信号をクリップすることが以下に困難であるかを特定する（値が高いほどクリッピングがより多くなる）。その後、ゲインを計算し、ユーザが設定できる最大許容ゲインと比較して、２つのうち小さい方を選択する。ここには示していないが、最大許容ゲイン設定は、ハイパスフィルタの入力であり、カットオフ周波数は最大許容ゲイン設定の関数である（または、より一般的には、フィルタの１つ以上の特徴は、カットオフ周波数の値とは別に、例えば、１次から２次への切り換えを追加的に、または代替的に含む）。
【００７２】
最大許容ゲイン設定は、ハイパスフィルタの入力であり、カットオフ周波数は最大許容ゲイン設定の関数である（または、より一般的には、フィルタの１つ以上の特徴は、カットオフ周波数の値とは別に、例えば、１次から２次への切り換えを追加的に、または代替的に含む）。
【００７３】
図９は、本発明の１つのタイプの実施形態であり、図１０は別のタイプの実施形態を示す。
【００７４】
基本的に、これらの実施形態は幾つかの要素またはステップを含む。
１．ＡＶＬ（自動ボリュームレベラ）：ＡＶＬは信号依存処理ブロックであり、入来信号のボリュームをおおよそ一定のレベルに保つ。
２．（１次）ＨＰ（ハイパス）フィルタ：このフィルタは、低周波数の一部を取り除き、増幅の余地を作る。
３．ゲイン：信号のＳＰＬ（音圧レベル）を大きくする、すなわち信号を増幅する。
４．好ましい実施形態ではクリッパ、簡単なシステムが好ましい場合にはハードクリッパ：信号は一定の振幅でクリップされ、（Ｄ／Ａ変換後の）アナログアンプの線形動作を確保する。クリッピングレベルより大きい信号を単純にクリップするハードクリッパではなく、ソフトクリッパを使用することもできる。ソフトクリッパは、クリッピングレベルより大きい信号をクリップするが、クリッピングレベルに近いレベルの信号を減衰させる。ソフトクリッパを使用すると、信号の動的振る舞いがある程度回復し、明瞭度が高くなる。
５．ＬＰ（ローパスフィルタ）：フィルタは、中間範囲周波数と高周波の間のバランスを回復または少なくとも向上する。バランスが悪いとサウンドが不自然になり、信号が粗く聞こえる。このＬＰフィルタにより処理されたサウンドはより聴きやすいものとなる。ＨＰとＬＰフィルタのカットオフ周波数はマッチングされる。
【００７５】
この例では、入力はスピーチ入力であるが、入力はいかなるサウンド信号であってもよいことをことわっておく。
【００７６】
一例のＡＶＬの振る舞いも図１１に示した。
【００７７】
左側のグラフは、３つの入力信号の振幅のステップ変化を示す。右側のグラフは、ＡＶＬゲインが振幅変化が大きいほど速く大きくなることを示す。これは、明瞭度をさらに向上する好ましい実施形態である。
【００７８】
図１２は、図１０に示した装置と同様の装置例を示し、例えばマイクロホン等のバックグラウンドノイズを測定するセンサ（測定システム）１３０が使用されている。本装置は、ＨＰフィルタのカットオフ周波数を確立する確立器１３１を有する。図示はしなかったが、ゲイン等の他のパラメータ、クリッピング、ＡＶＬの設定が、測定ノイズレベルに応じてなされることを付記する。
【００７９】
ノイズ測定により、好ましい簡単な実施形態において、全体的なノイズＳを表す単一データか、または異なるノイズ帯域Ｓｆ１、Ｓｆ２、Ｓｆ３のノイズ形状を求める。ノイズ帯域ごとにノイズ形状を測定する場合、平均またはトータルノイズを、例えば、Ｓａｖ＝ΣＳｆｉを計算するか、またはｄＢ（Ａ）スケールによる重みづけをして、例えば、Ｓａｖ＝ΣｗｉＳｆｉで計算する。ここで、ｗｉはｄＢ（Ａ）スケールの重み係数である。ノイズレベルは振幅測定により測定される。
【００８０】
ＨＰカットオフ周波数は測定ノイズに適応させる。ノイズレベルが高ければ高いほど、カットオフ周波数も大きくなる。適応的な実施形態の場合、カットオフ周波数は、非適応的実施形態よりも広い範囲に有利にある。ＨＰカットオフ周波数ｆは、有利にも、５０Ｈｚ（ほとんどノイズがない状態）から高ノイズレベルの場合には一般的には２ｋＨｚの間にある。
【００８１】
ＨＰフィルタカットオフ周波数は、このように、環境ノイズの料により更新され、一般的には、例えば５０Ｈｚ（環境ノイズがない場合）から２ｋＨｚ（環境ノイズが大きい場合）にある。ノイズが大きい環境ではより低い周波数が取り除かれ、後で信号を増幅する余地を大きくする。スピーチの明瞭度に貢献する周波数を取り除かないように、最大は２ｋＨｚであることが推奨される。フィルタ係数は実行時に計算される。
【００８２】
カットオフ周波数のノイズレベルとの関係は、好ましくは以下のように設定される：ｆｃｕｔ−ｏｆｆ＝ｆ０＋Δｆ（Ｓ）、ここでｆ０は低ノイズ限度（例えば、５０、１００、または３００Ｈｚ）であり、Δｆはノイズレベルの線形（Ｓｉに比例する、ｉは１より大きい）関数より高い。
【００８３】
マッチ器２６は、ＬＰカットオフ周波数を確立されたＨＰカットオフ周波数にマッチさせる。すなわちｆ′はｆ′＝Ｆ（ｆ）である。
【００８４】
ノイズがない場合、カットオフ周波数は高い限度、例えばｆｓ／２に設定される。
【００８５】
ノイズが最大の場合、カットオフ周波数は低い方の限度、例えば、２ｋＨｚに設定される。
【００８６】
図１２は、マッチングそのものは与えられたレベルと、サンプル周波数ｆｓに依存することを模式的に示す。好ましい実施形態において、マッチ器は、２つの方法で動作する。すなわち、サンプル周波数と測定ノイズに応じて、ＬＰカットオフ周波数は、ＨＰカットオフ周波数にマッチされ、または逆である。
【００８７】
これらの実施形態において、使用するアルゴリズムは、環境ノイズの料により駆動されて、適応的に動作するように設計される。この結果、システムユーザが、環境ノイズに関する状態が変化しても、ＧＳＭボリュームレベルを制御しなくても、システムを使用できるようなユーザフレンドリーなシステムとなる。
【００８８】
適応的処理モードで使用する場合、処理ブロックのパラメータは、環境ノイズによる入来サンプルに適応する。アルゴリズムは、環境ノイズにパラメータを適応させる。ノイズ量は、別のマイクロホンにより測定されるか、または（単一マイクロホンアプリケーションの場合）システム（ＧＳＭ）マイクロホンを用いて推定される。
【００８９】
環境ノイズのボリュームが減った場合、パラメータは好ましくは非常に早く適応され、入来信号の自然さや暖かみが回復される。
【００９０】
「環境ノイズがない」という言葉は、完全な静寂を意味するのではなく、ファンノイズやバックグラウンド音楽等の規則的なノイズがないということを意味する。典型的な環境では、バックグラウンドノイズは一般的には５０ｄＢ（Ａ）である。「環境ノイズが大きい」という言葉は、列車や地下鉄が通過するノイズや、ダンスクラブの中のノイズを指している。これらのノイズは、１００ｄＢ（Ａ）まで測定することができる。
【００９１】
ノイズは、環境ノイズのスペクトル強度上方を測定し、ノイズ量を表す単一値を計算することにより測定できる。
【００９２】
カットオフ周波数と測定ノイズ間（より一般的には、カットオフ周波数が依存するいかなるパラメータ）の関係は、必ずしも線形ではない。
【００９３】
リニアインターポレーションを用いたテストにより、「中庸の」環境ノイズの場合、アルゴリズムの効果が大きすぎることが分かった。
【００９４】
例えば、２次または３次のインターポレーションを用いると、その効果は同じ環境ノイズの場合でもリニアインターポレーションよりも小さかった。環境ノイズが大きい場合、効果量は同じである。
【００９５】
好ましい実施形態では、本システムは、ＨＰフィルタのカットオフ周波数に加えて、測定バックグラウンドノイズレベルに応じた追加的パラメータを適応させるアダプタを有する。このようなパラメータは、例えば、ハイパスフィルタの次数である。
【００９６】
本発明を簡潔に説明すると、以下の通りである：
デジタルオーディオ信号入力（１）と、デジタルオーディオ信号プロセッサ（２、ＤＳＰ）と、デジタルオーディオ信号出力（３）とを有するサウンド再生システムであって、デジタル信号プロセッサ（２、ＤＳＰ）は、ハイパス周波数（ｆ）を有するハイパス（ＨＰ）フィルタ（２１）と、ハイパスフィルタによりフィルタされた信号の増幅器（２２）と、増幅器で増幅された後の信号をフィルタして出力信号を供給する、ローパス周波数（ｆ′）を有するローパス（ＬＰ）フィルタ（２３）とを有し、デジタルプロセッサは、ハイパス周波数またはローパス周波数を確立する確立器（２４、２５）と、ハイパスフィルタのハイパス周波数とローパスフィルタのローパス周波数を互いにマッチさせるマッチ器（２６）とを有することを特徴とするプロセッサ。
【００９７】
ＨＰ及びＬＰカットオフ周波数のマッチングにより、知覚されるスピーチに対するこれらのフィルタの効果がマッチする。特に、これがなければ聞き取れるサウンドの鋭さが低下する。
【００９８】
本発明はいろいろなシステムで使用することができる。本発明は、特に、ハンドフリー携帯電話で有用である。しかし、本発明はすべてのサウンド再生システムに適用可能であり、特に、電圧供給が制限され及び／またはラウドスピーカが小さいシステム上のサウンド再生システムに適している。可能性のあるアプリケーションとしては、以下の物がある：
−ハンドセット（携帯電話、ＤＥＣＴ等）；
−ポータブルＤＶＤプレーヤ等のポータブルシステム；
−ＰＤＡ；
−自動車キット；
−テレビ；コンピュータ；
−ウェブ端末；
−留守番電話等。
【００９９】
当業者には言うまでもなく、本発明は、上で図示して説明したものに限定されない。本発明は、全ての新規な特徴のそれぞれ、及びその組み合わせにある。請求項中の参照数字は保護範囲を限定するものではない。「有する」という動詞を用いたが、請求項に記載された要素以外の要素の存在を排除するものではない。要素に付された「１つの」、「一」という用語を使用したが、その要素が複数あることを排除するものではない。
【０１００】
本発明を特定の実施形態に関して説明した。これらの実施形態は、本発明を例示するものであり、限定するものと解してはならない。本発明は、ハードウェア、ファームウェア、ソフトウェア、またはこれらの組み合わせで実施することができる。他の実施形態も請求項の範囲に入る。
【０１０１】
本発明のコンセプト内でさらに多数の変形が可能である。
【図面の簡単な説明】
【０１０２】
【図１】ラウドスピーカとＤＳＰを含むシステムを示す概略図である。
【図２】本発明によるＤＳＰを示す概略図である。
【図３】ＬＰフィルタ周波数のＨＰフィルタ周波数へのマッチングを示す概略図である。
【図４】ＬＰフィルタ周波数のＨＰフィルタ周波数とのマッチングの別の方法を示す概略図である。
【図５】ＨＰフィルタ周波数のＬＰフィルタ周波数とののマッチングを示す概略図である。
【図６】ＨＰフィルタ周波数のＬＰフィルタ周波数とのマッチングの別の方法を示す概略図である。
【図７】ＬＰフィルタ周波数とＨＰフィルタ周波数のマッチングをグラフィカルに示す図である。
【図８】本発明で使用する２つのハイパスフィルタの実施例を示す図である。
【図９】本発明による一タイプの実施形態を示す図である。
【図１０】別のタイプの実施形態を示す図である。
【図１１】ＡＶＬの振る舞いを示す図である。
【図１２】測定されたノイズレベルに応じてパラメータを適応させる好ましい実施形態を示す図である。
【図１】
2007522706.tif 000005
【図２】
2007522706.tif 000006
【図３】
2007522706.tif 000007
【図４】
2007522706.tif 000008
【図５】
2007522706.tif 000009
【図６】
2007522706.tif 000010
【図７】
2007522706.tif 000011
【図８】
2007522706.tif 000012
【図９】
2007522706.tif 000013
【図１０】
2007522706.tif 000014
【図１１】
2007522706.tif 000015
【図１２】
2007522706.tif 000016
【国際調査報告】
2007522706.tif 000017
2007522706.tif 000018